(57)【特許請求の範囲】
【請求項１】
一方の部材に形成された挿入部を、他方の部材に形成された被挿入部へ挿入して連結する構造であって、前記挿入部側の壁面に、外方へ突出した凸部を有する舌片が内方へ弾性変形自在に設けられる一方、前記被挿入部に、前記挿入部を挿入した状態で前記凸部と係合する係合部が形成された家具用連結部構造において、
前記壁面の一般部に結合された前記舌片の基端部から離れた部位に、前記舌片と前記壁面の一般部とを連設し、当該舌片弾性変形時に切断される連設部を設けたことを特徴とする家具用連結部構造。
【請求項２】
前記壁面に前記舌片を包囲する開口部を設けて該舌片を形成し、前記連設部を、前記開口部を介して前記舌片の自由端部と前記壁面の一般部とに連設された先端橋部により構成したことを特徴とする請求項１記載の家具用連結部構造。
【請求項３】
前記連設部に、前記舌片弾性変形時に切断される脆弱部を設けたことを特徴とする請求項１又は２記載の家具用連結部構造。
【請求項４】
前記一方及び他方の部材は、組立式チェストにおける支柱部であることを特徴とする請求項１、２又は３記載の家具用連結部構造。
【発明の詳細な説明】
【技術分野】
【０００１】
本発明は、一方の部材に形成された挿入部を他方の部材に形成された被挿入部へ挿入して連結する家具用連結部構造に関する。
【背景技術】
【０００２】
従来、小物などを収納する際には、チェストが用いられており、該チェストとしては、組み立て式のものが知られている。
【０００３】
この組立式チェストは、フレームと、フレームに形成された引出用空間に出し入れされる引出とを備えており、前記フレームは、上下に連結される複数のフレーム構成部材と、最上段のフレーム構成部材上に取り付けられる天板とによって構成されている。
【０００４】
前記フレーム構成部材は、前記引出を支持する棚部と、該棚部の四隅に設けられた支柱部とからなる。この支柱部は、中空状に形成されており、下段のフレーム構成部材の支柱部の上端部が、上段のフレーム構成部材の支柱部の下端部に嵌合されるように構成されている。
【０００５】
このような組立式チェストにおいて、上下の支柱部を連結する際には、上段のフレーム構成部材の支柱部の下端部を、下段のフレーム構成部材の支柱部の上端部に圧入し、両者の内外周面間の摩擦抵抗によって上下の支柱部同士を連結していた。このため、組み立て時には、上方向から比較的強い押し込み力が必要となり、押し込み力が弱い場合には、両者が離脱する恐れがあった。
【０００６】
これを解決するために、本願出願人においては、前記支柱部上端を挿入部とするとともに、前記支柱部下端を前記挿入部が抜き差しされる被挿入部とし、前記挿入部側の壁面に、外方へ突出した凸部を有する舌片が内方へ弾性変形自在に設けられる一方、前記被挿入部に、連結状態において前記凸部と係合する係合部が形成された家具用連結部構造を考案するに至った。
【０００７】
これにより、下段の支柱部上端の挿入部を、上段の支柱部下端の被挿入部に挿入する際には、前記舌片が内側への弾性変形することによって、前記凸部の挿入を許容し、両者の連結を容易とするとともに、連結後の離脱を防止できるように構成されている。
【発明の開示】
【発明が解決しようとする課題】
【０００８】
しかしながら、このような家具用連結部構造にあっては、支柱部に設けられた舌片は、内側への弾性変形を許容させる為、基端部のみが一般部に結合されている。このため、このような舌片を有した支柱部を樹脂成形する場合、固化時において、樹脂の収縮などによって舌片が内側に傾き易く、倒れが生じる恐れがあった。
【０００９】
これにより、この舌片に設けられた凸部による係合部への係合状態が低下する恐れがあるため、これを考慮した設計が必要となり、苦労を要した。
【００１０】
本発明は、このような従来の課題に鑑みてなされたものであり、成型時での不具合を解消することができる家具用連結部構造を提供することを目的とするものである。
【課題を解決するための手段】
【００１１】
前記課題を解決するために本発明の請求項１の家具用連結部構造にあっては、一方の部材に形成された挿入部を、他方の部材に形成された被挿入部へ挿入して連結する構造であって、前記挿入部側の壁面に、外方へ突出した凸部を有する舌片が内方へ弾性変形自在に設けられる一方、前記被挿入部に、前記挿入部を挿入した状態で前記凸部と係合する係合部が形成された家具用連結部構造において、前記壁面の一般部に結合された前記舌片の基端部から離れた部位に、前記舌片と前記壁面の一般部とを連設し、当該舌片弾性変形時に切断される連設部を設けた。
【００１２】
すなわち、このような挿入部を有した部材を樹脂成形する際には、固化時における樹脂の収縮などによって、前記挿入部側の壁面に結合された舌片に、内側に傾く方向へ力が生じ得る。
【００１３】
しかし、この舌片は、前記壁面に結合された基端部から離れた部位に、当該舌片と前記壁面の一般部とを連設する連設部が設けられているため、この連設部によって支持され、傾き方向への倒れが防止される。
【００１４】
また、前記舌片が内方へ弾性変形される使用時（一方の部材と他方の部材の連結時）において、前記連設部は、切断されるため、自由端部での変位が十分に確保される。
【００１５】
また、請求項２の家具用連結部構造においては、前記壁面に前記舌片を包囲する開口部を設けて該舌片を形成し、前記連設部を、前記開口部を介して前記舌片の自由端部と前記壁面の一般部とに連設された先端橋部により構成した。
【００１６】
すなわち、固化時において、前記舌片は、その自由端部に設けられた先端橋部によって支持される。
【００１７】
また、前記舌片が内方へ弾性変形される使用時（一方の部材と他方の部材の連結時）において、前記先端橋部は、切断されるため、自由端部での変位が十分に確保される。
【００１８】
さらに、請求項３の家具用連結部構造では、前記連設部に、前記舌片弾性変形時に切断される脆弱部を設けた。
したがって、前記舌片弾性変形時には、連設部は脆弱部にて容易に切断される。
また、請求項４の家具用連結部構造では、前記一方及び他方の部材は、組立式チェストにおける支柱部である。
【００１９】
すなわち、このような挿入部を有した組立式チェストにおける支柱部を樹脂成形する際には、固化時における樹脂の収縮などによって、前記挿入部側の壁面に結合された舌片に、内側に傾く方向へ力が生じ得る。
【００２０】
しかし、この舌片は、前記壁面に結合された基端部から離れた部位に、当該舌片と前記壁面の一般部とを連設する連設部が設けられているため、この連設部によって支持され、傾き方向への倒れが防止される。
【００２１】
また、前記舌片が内方へ弾性変形される使用時（一方の支柱部と他方の支柱部の連結時）において、前記連設部は、切断されるため、自由端部での変位が十分に確保される。
【発明の効果】
【００２２】
以上説明したように、本発明の請求項１の家具用連結部構造にあっては、挿入部を有した部材を樹脂等で成形する際に、固化時における樹脂等の収縮などによって、前記挿入部側の壁面に結合された舌片に、内側に傾く方向への力が生じた場合であっても、前記壁面に結合された基端部から離れた部位の連設部によって、前記舌片を支持することができる。これにより、前記舌片の傾き方向への倒れを確実に防止することができる。
【００２３】
したがって、この舌片に設けられた凸部による係合部への係合状態の低下を防止することができ、舌片に倒れが生じ得る従来のように、この倒れを考慮した設計が不要となり、設計段階での作業性が高まるとともに、設計の自由度を向上することができる。
【００２４】
また、請求項２の家具用連結部構造においては、固化工程において、傾倒時に最も大きな変位が生じる舌片の自由端部を、先端橋部によって支持することができる。これにより、成型時に生じ得る前述した不具合を解消することができる。
【００２５】
また、請求項３の家具用連結部構造においては、弾性変形時に連設部を切断する際、応力を記脆弱部に集中することができるため、当該脆弱部での切断を容易とすることができる。
【００２６】
また、請求項４の家具用連結部構造においては、挿入部を有した組立式チェストにおける支柱部を樹脂等で成形する際に、固化時における樹脂等の収縮などによって、前記挿入部側の壁面に結合された舌片に、内側に傾く方向への力が生じた場合であっても、前記壁面に結合された基端部から離れた部位の連設部によって、前記舌片を支持することができる。これにより、前記舌片の傾き方向への倒れを確実に防止することができる。
【００２７】
したがって、この舌片に設けられた凸部による係合部への係合状態の低下を防止することができ、舌片に倒れが生じ得る従来のように、この倒れを考慮した設計が不要となり、設計段階での作業性が高まるとともに、設計の自由度を向上することができる。
【発明を実施するための最良の形態】
【００２８】
以下、本発明の一実施の形態を図にしたがって説明する。図１は、本実施の形態にかかる家具用連結部構造を備えた組立式チェスト１を示す斜視図であり、該組立式チェスト１は、小物などを収容する際に用いられるものである。
【００２９】
この組立式チェスト１は、骨格を形成するフレーム１１と、フレーム１１に形成された引出用空間１２，・・・に出し入れされる容器状の引出１３，・・・とを備えており、前記フレーム１１は、図２に示すように、上下に連結される三つフレーム構成部材１４，・・・と、最上段のフレーム構成部材１４上に取り付けられる天板１５とによって構成されている。
【００３０】
前記フレーム構成部材１４は、前記引出１３を支持するロ字状の棚部２１と、該棚部２１の四隅に設けられた支柱部２２，・・・とからなり、前記棚部２１及び前記支柱部２２，・・・は、合成樹脂によって一体形成されている。
【００３１】
前記支柱部２２は、図３にも示すように、中空状に形成されており、断面長方形状に形成されている。この支柱部２２の上端部には、挿入部３１が形成されており、この挿入部３１にて縮径されることによって、支柱部２２周面には段差部３２が形成されている。また、前記棚部２１に一体形成された前記支柱部２２の下端部は、下段に配置されたフレーム構成部材１４の支柱部２２における前記挿入部３１が挿入される被挿入部３３を構成している。該被挿入部３３は、前記挿入部３１を無理なく抜き差しできる内径寸法を有するとともに、下端３４が、下段の支柱部２２における段部３２に当接することによって、その挿入量を規制できるように構成されている。
【００３２】
前記支柱部２２の挿入部３１における上端部には、図４及び図５にも示すように、完成される組立式チェスト１の外方に面する外壁面４１と内方に面した内壁面４２とを連設する一対の補強リブ４３，４３が離間して一体形成されており、開口した上端部が補強されている。両補強リブ４３，４３間に位置する前記内壁面４２の内面には、支柱部２２の内方に突出した圧肉部４４が上縁から下方に向けて縁設されている。
【００３３】
前記内壁面４２には、図５に示したように、上端より下がった位置に、前記圧肉部４４を包囲するコ字状の開口部５１が開設されており、当該内壁面４２には、この開口部５１に包囲された舌片５２が形成されている。この舌片５２は、前記内壁面４２の一般部５３に結合された基端部５４から下縁の自由端部５５までの長さ寸法が幅寸法より長い縦長形状に形成されており、前記基端部５４を中心として、当該挿入部３１の内方及び外方へ弾性変形自在となるように構成されている。
【００３４】
この舌片５２の外面には、図３及び図６に示すように、当該挿入部３１の外方へ突出する凸部６１が設けられている。該凸部６１は、矩形状を成し、下縁が垂直状に切り起こされ、係止用段部６２が形成されている。また、凸部６１の上縁部には、上方へ向かうに従って突出量が減少してなる傾斜面６３が形成されており、前記被挿入部３３の下縁３４に摺接することによって、当該被挿入部３３への挿入を円滑に行えるように形成されている。
【００３５】
また、前記舌片５２における前記凸部６１の下部には、当該舌片５２を内方へ押圧して弾性変形させる為の押圧部７１が形成されており、該押圧部７１の外面には、複数の溝が横設され滑り止め７２が形成されている。この滑り止め７２は、前記段差部３２より下方に設定されており、該段差部３２で前記被挿入部３３への挿入量を規制した状態で、当該被挿入部３３より下方に位置して露出するように構成されている。
【００３６】
そして、この舌片５２には、前記内壁面４２の一般部５３に結合された前記基端部５４から離れた部位に、当該舌片５２と前記内壁面４２の一般部５３とを連設する連設部が設けられている。
【００３７】
すなわち、前記舌片５２の前記基端部５４側の内面には、図５及び図６に示したように、横方向に延在する薄肉のリブ８１が突設されており、該リブ８１の両端部は、舌片５２の側縁から横方向へ突出して前記内壁面４２の一般部５３に結合されるとともに、前記補強リブ４３，４３に連設されている。これにより、前記舌片５２には、左右側縁から延出して前記内壁面４２の一般部５３に連設された前記連設部を構成する側方橋部８２，８２が左右に形成されている。
【００３８】
これらの側方橋部８２，８２は、当該支柱部２２周面に形成された前記段部３２より上方に形成されている。これにより、両側方橋部８２，８２を、前記段部３２によって下限が規制された前記被挿入部３３の下部に露出した前記押圧部７１より上方に配置でき、当該側方橋部８２，８２が、押圧部７１を押圧する際の妨げとならないように配慮されている。また、前記側方橋部８２，８２は、前記舌片５２の凸部６１より下方に形成されており、樹脂成形時の固化過程における舌片５２の内方への倒れ防止効果を、少なくとも前記側方橋部８２，８２から前記基端部５４の範囲にて向上させ、この間に設けられた前記凸部６１の内方への後退防止に寄与できるように構成されている。
【００３９】
また、前記舌片５２の自由端部５５下縁には、図５にも示したように、該自由端部５５より先端方向（図中下方）に延出するとともに、当該舌片５２弾性変形時に切断される先端橋部９１が一体形成されており、該先端橋部９１は前記内壁面４２の一般部５３に結合され、前記開口部５１を介して、前記舌片５２と前記内壁面４２の一般部５３とを連設する前記連設部を構成している。この先端橋部９１は、舌片５２の中心部より側方へずれた位置に設けられており、前記舌片５２から前記内壁面４２の一般部５３に向かうに従って、幅寸法Ｗが狭くなる先細り形状に形成されている。これにより、この先端橋部９１には、前記舌片５２弾性変形時に切断される脆弱部９２が、当該先端橋部９１と前記内壁面４２の一般部５３との間に形成されており、この脆弱部９２に応力が集中するように構成されている。
【００４０】
前記先端橋部９１は、図６及び図７に示すように、前記舌片５２より薄肉に形成されており、前記舌片５２から前記内壁面４２の一般部５３に向かうに従って、厚み寸法Ｔが薄くなるように形成されている。これにより、前記脆弱部９２への応力集中が助長されるように構成されている。
【００４１】
そして、図３に示したように、前記支柱部２２の下端に形成された前記被挿入部３３の内壁面４２（支柱２２の内壁面４２であるため下段の支柱部２２の内壁面４２と同符号を付す）には、図７にも示すように、前記挿入部３１を挿入した状態で、前記舌片５２の前記凸部６１が挿入されて係合する係合部としての係止穴１０１が開設されている。なお、この係止穴１０１を凹部で構成し、前記凸部６１が係合する係合部としても良い。この係止穴１０１は、前記凸部６１に適合した矩形状に形成されており、その下部開口縁は、挿入された凸部６１の係止用段部６２に当接して、抜けを阻止する当接部１０２を構成している。
【００４２】
一方、図１及び図２に示した前記天板１５にも、前述したものと同様の構成を備えた被挿入部が四隅に形成されており、最上段のフレーム構成部材１４における支柱部２２と脱着自在に結合できるように構成されている（図示省略）。
【００４３】
以上の構成にかかる本実施の形態において、中空状の支柱部２２を備えたフレーム構成部材１４を樹脂成形する際には、固化時における樹脂の収縮などによって、前記支柱部２２上端の挿入部３１における内壁面４２に結合された舌片５２に、当該挿入部３１の内方に傾く方向へ力が生じ得る。
【００４４】
しかし、この舌片５２は、前記内壁面４２に結合された基端部５４から離れた部位に、当該舌片５２と前記内壁面４２の一般部５３とを連設する側方橋部８２，８２及び先端橋部９１からなる連設部が設けられている。このため、これらの連設部によって舌片５２を支持することができ、当該舌片５２の傾き方向への倒れを防止することができる。
【００４５】
したがって、この舌片５２に設けられた凸部６１による係止穴１０１への係合状態の低下を防止することができ、舌片５２に倒れが生じ得る従来のように、この倒れを考慮した設計が不要となり、設計段階での作業性が高まるとともに、設計の自由度を向上することができる。
【００４６】
また、前記連設部の一方は、前記舌片５２の側縁から横方向に延出する側方橋部８２，８２によって構成されている。このため、固化工程において、操作性は高いが撓みの生じやすい縦長の前記舌片５２を、側部から支持することができる。
【００４７】
このとき、前記側方橋部８２，８２は、前記舌片５２の内方側に縁設されたリブ８１からなり、当該舌片５２を内方から支持することができる。これにより、舌片５２の内方の倒れ防止効果を高めることができる。
【００４８】
さらに、前記舌片５２が支柱部２２の内方へ弾性変形される使用時には、当該側方橋部８２，８２自体が弾性変形することによって、前記舌片５２にバネ力を付与することができる。これにより、前記凸部６１の前記係合穴１０１への係合状態を、より高めることができる。
【００４９】
このとき、この舌片５２にバネ力を付与する前記側方橋部８２，８２を構成するリブ８１は、当該舌片５２を内方に設けられている。このため、前記側方橋部８２，８２によって前記舌片５２に内方側からバネ力を付与することができ、前記舌片５２の外方側へ突設された前記凸部６１の係止穴１０１への係合状態を、さらに高めることができる。
【００５０】
また、前記連設部の他方は、前記舌片５２下端の自由端部５５より先端方向に延出する先端橋部９１によって構成されている。このため、固化工程において、傾倒時に最も大きく変位する自由端部５５を前記先端橋部９１によって支持することができる。
【００５１】
そして、この先端橋部９１は、弾性変形時に切断できるように構成されている。このため、使用時において、図７中矢示Ｃで示したように、前記先端橋部９１を切り離すことにより、自由端部５５での変位を十分に確保することができ、舌片５２に設けられた前記凸部６１を大きく後退させることができる。よって、当該凸部６１の突出量を大きくする等することによって、前記係合穴１０１との係合状態を、さらに高めることができる。
【００５２】
加えて、前記先端橋部９１を、前記舌片５２から前記内壁面４２の一般部５３に向かうに従って細くなる先細り形状に形成することで、弾性変形時に切断される脆弱部９２を当該先端橋部９１の先端に形成することができる。このとき、前記先端橋部９１を先細り形状とすることにより、応力を先端の前記脆弱部９２に集中することができるため、当該脆弱部９２での切断を容易とすることができる。
【００５３】
このとき、先細りした前記先端橋部９１を、使用時に内方へ後退する前記舌片５２側に残存させることができる。このため、前記先端橋部９１が離脱される場合と比較して、ゴミの発生を防止することができる。また、先細りの先端橋部９１が前記内壁面４２側に残存する場合と比較して、舌片５２操作時の引っ掛かり等に起因した不具合を未然に防止することができる。
【００５４】
なお、本実施の形態にあっては、本発明の家具用連結部構造を組立式チェスト１に応用した場合を例に挙げて説明したが、これに限定されるものでは無く、例えば棚等に応用しても良い。
【００５５】
また、この家具用連結部構造を、支柱部２２に応用した場合を例に挙げて説明したが、これに限定されるものではなく、例えば連結される一方を棚板に設け、他方を支柱に設ける等、別部材に各々設けても良い。
【００５６】
さらに、前記支柱部２２の上端部に前記挿入部３１を設け、下端部に前記被挿入部３３を設けた場合を例に挙げて説明したが、これに限定されるものでは無く、この位置関係は上下が逆であっても良い。
【図面の簡単な説明】
【００５７】
【図１】本発明の一実施の形態を示す斜視図である。
【図２】同実施の形態の分解斜視図である。
【図３】同実施の形態の要部を示す斜視図である。
【図４】同実施の形態の支柱部を示す平面図である。
【図５】図４のＡ−Ａ線に沿った断面図である。
【図６】図４のＢ−Ｂ線に沿った断面図である。
【図７】同実施の形態の上下に連結されたフレーム構成部材の連結部を示す要部の断面図である。
【符号の説明】
【００５８】
１４    フレーム構成部材
２２    支柱部
３１    挿入部
３３    被挿入部
４２    内壁面
５１    開口部
５２    舌片
５３    一般部
５４    基端部
５５    自由端部
６１    凸部
８２    側方橋部
９１    先端橋部
９２    脆弱部
１０１    係止穴（係合部）
【図１】
0003616637.tif 000002
【図２】
0003616637.tif 000003
【図３】
0003616637.tif 000004
【図４】
0003616637.tif 000005
【図５】
0003616637.tif 000006
【図６】
0003616637.tif 000007
【図７】
0003616637.tif 000008